【手続補正書】
【提出日】平成22年9月29日(2010.9.29)
【手続補正１】
【補正対象書類名】明細書
【補正対象項目名】０００３
【補正方法】変更
【補正の内容】
【０００３】
近年、白黒用及びカラー用のコピー機や印刷装置等に、孔あけ及び自動バインド処理を行う用紙処理装置を組み合わせて使用される場合が多くなってきた。この種の自動バインド装置によれば、印刷終了後の記録用紙を受入れ、その用紙の下流側にパンチ機能を利用して穿孔している。孔あけ後の複数枚の用紙は整列される。整列後の複数枚用紙の穿孔されたパンチ孔に、連座状に立設された弧状のリング部を複数有した綴じ部品（消耗品）が自動で挿入される。
【手続補正２】
【補正対象書類名】明細書
【補正対象項目名】００２９
【補正方法】変更
【補正の内容】
【００２９】
背骨部４３ａの断面は、図２（Ｃ）が示すように、底辺が直線で上部中央に凸部を有した形状となされている。また、綴じ部品４３の弧状のリング部４３ｃには、図２Ｂが示すように、突起状のピン４３ｆが備えられている。ピン４３ｆが備えられている弧状のリング部４３ｃの逆側には、ピン４３ｆに対応した図示しない嵌合穴が備えられている。これにより、弧状のリング部４３ｄ、弧状のリング部４３ｃ及び弧状のリング部４３ｅの各両端部が略一直線上に揃った状態で、ピン４３ｆを嵌合穴に嵌合させて複数の綴じ部品４３を積層するようになされる。
【手続補正３】
【補正対象書類名】明細書
【補正対象項目名】００３３
【補正方法】変更
【補正の内容】
【００３３】
図４は、リング処理工具１００の構成例（その１）を示す側面図である。図４に示すリング処理工具１００は、先端突起部１０が把持部２０に対して傾斜角θを有して一体化されている。例えば、把持本体２１を水平面に載置し、当該水平面と先端突起部１０の軸とが成す角度を傾斜角θとしたとき、傾斜角θは３０°乃至５０°、この例ではθ＝３７°程度に設定されている。これは当該リング処理工具１００を押圧摺動操作する際に、先端突起部１０の操作性を良くするためである。もちろん、操作中に、リング部４３ｂがリング処理工具１００に当たらない角度であればよい。
【手続補正４】
【補正対象書類名】明細書
【補正対象項目名】００３５
【補正方法】変更
【補正の内容】
【００３５】
図４に示すリング処理工具１００によれば、把持本体２１の上下の位置に綴じ環部再結合部の機能を構成する弧再結合部３１，３２が設けられている。この例で、把持本体２１の前面側には、滑り止め用の上部リブ２３Ａと下部リブ２４Ａが、後面側には、不図示の上部リブ２３Ｂと下部リブ２４Ｂがそれぞれ設けられている。上部リブ２３Ａは内壁前面上部側に設けられ、上部リブ２３Ｂは内壁後面上部側に設けられ、第１の弧再結合部３１を補強すると共に、綴じ部品開放時、把持部２０を握り易くするために設けられる。
【手続補正５】
【補正対象書類名】明細書
【補正対象項目名】００３９
【補正方法】変更
【補正の内容】
【００３９】
図６は、リング処理工具１００の構成例（その３）を示す上面図である。図６に示すリング処理工具１００によれば、弧再結合部３１は、把持部２０の上方部位、例えば、図４に示した把持本体２１のＩ形状の上面位置に設けられる。弧再結合部３１は、第１の開口幅ｗ１の断面凹状を有している。開口幅ｗ１は、少なくとも、第１の環径Ｄ（図３Ｃ参照）の綴じ部品４３のリング部４３ｂの凸爪状の結合部４３ｇと凹爪状の被結合部４３ｈとが開いている状態（図３Ｂ参照）で、当該結合部４３ｇの先端と被結合部４３ｈの先端とをカバー（保持）できる距離を有している。
【手続補正６】
【補正対象書類名】明細書
【補正対象項目名】００４４
【補正方法】変更
【補正の内容】
【００４４】
図７は、リング処理工具１００の構成例（その４）を示す底面図である。図７に示すリング処理工具１００によれば、弧再結合部３２は把持部２０の下方部位、例えば、図４に示した把持本体２１のＩ形状の底面位置に設けられる。弧再結合部３２は、例えば、第１の環径Ｄを有した綴じ部品４３（図３Ｃ参照）よりも、ひと回り大きな第２の環径Ｄ’を有した綴じ部品４３’（図示せず）を再綴じ処理する際に用いられる。この例で、弧再結合部３２は第２の開口幅ｗ２の断面凹状を有している。開口幅ｗ２は、少なくとも、第２の環径Ｄ’を有した綴じ部品４３’のリング部４３ｂの爪状の結合部４３ｇと被結合部４３ｈとが開いている状態で、当該結合部４３ｇの先端と被結合部４３ｈの先端とをカバー（保持）できる距離を有している（図１４参照）。
【手続補正７】
【補正対象書類名】明細書
【補正対象項目名】００４７
【補正方法】変更
【補正の内容】
【００４７】
また、図７に示す先端突起部１０の底面側には溝部１３が設けられる。溝部１３内の先端にはＲ状の突起部１４が設けられている。Ｒ状の突起部１４は綴じ部品４３の内側の背骨部４３ａに設けられたピン４３ｆや、係合孔部４３ｉ等に先端突起部１０が当接しても、これらの形状を保護するために設けられている。これにより、作業性及び操作性の良い複数の弧再結合機能を備えたリング処理工具１００を安価、かつ、単品工具の形態で提供できるようになった。
【手続補正８】
【補正対象書類名】明細書
【補正対象項目名】００５０
【補正方法】変更
【補正の内容】
【００５０】
リング背骨ホルダ５００は、基台５０、第１及び第２の載置部５１，５２及び、凸状の突出部５３を有して構成される。基台５０は、図９Ａに示すように長さがＬ１［ｍｍ］で、図９Ｃに示すように幅がＷ１［ｍｍ］、高さがＨ１［ｍｍ］である。例えば、Ａ４版の用紙を取り扱うリング背骨ホルダ５００は、長さＬ１が３００［ｍｍ］程度であり、幅Ｗ１が３０［ｍｍ］程度である。高さＨ１は１０［ｍｍ］程度である。基台５０は着座性を良くするために、図９Ｃに示すように断面台形状を有している。
【手続補正９】
【補正対象書類名】明細書
【補正対象項目名】００５２
【補正方法】変更
【補正の内容】
【００５２】
上述の載置部５２の所々には、凸状の突出部５３が載置部５２の位置に代わって設けられている。この例では、載置部５２の位置に代わって突出部５３が対で設けられているところが４箇所ある。例えば、基台５０の左側から右側に向かって４番目、１２番目、１３番目及び２０番目の載置部５２に代わって突出部５３が設けられている。このようにリング背骨ホルダ５００を構成すると、載置部５２に載置されたリング部４３ｂの回動を凸状の突出部５３によって止めることができ、リング部４３ｂの開放操作を円滑にできるようになる。
【手続補正１０】
【補正対象書類名】明細書
【補正対象項目名】００５５
【補正方法】変更
【補正の内容】
【００５５】
この例で、リング背骨ホルダ５００には、更に基台５０の幅方向での部品振れ止め用に突起部５５が対で４箇所設けられる。突起部５５は、基台５０に載置された綴じ部品４３の背骨部４３ａの一部を挟んで支持するようになる。この例では、５番目と６番目の載置部５２の間、８番目と９番目の載置部５２の間、１６番目と１７番目の載置部５２の間及び、１９番目と２０番目の載置部５２の間に突起部５５が各々配設される。
【手続補正１１】
【補正対象書類名】明細書
【補正対象項目名】００５６
【補正方法】変更
【補正の内容】
【００５６】
このようにリング背骨ホルダ５００を構成すると、載置部５１に載置された背骨部４３ａの幅方向の揺れ動作を４箇所にある一対の突起部５５によって止めることができ、基台５０の幅方向での綴じ部品４３の振れを止めることができ、リング部４３ｂの開放操作を円滑にできるようになる。
【手続補正１２】
【補正対象書類名】明細書
【補正対象項目名】００６４
【補正方法】変更
【補正の内容】
【００６４】
リング背骨ホルダ６００は、基台６０、第１及び第２の載置部６１，６２及び、凸状の突出部６３，突起爪部６４、部品規制部６６及び用紙載置用の傾斜面部６８を有して構成される。基台６０は、図１１Ａに示すように長さがＬ２［ｍｍ］で、図１１Ｃに示すように幅がＷ２［ｍｍ］、高さがＨ２［ｍｍ］である。例えば、Ａ４版の用紙を取り扱うリング背骨ホルダ６００は、長さＬ２が３００［ｍｍ］程度であり、幅Ｗ２が７５［ｍｍ］程度である。高さＨ２は１０［ｍｍ］程度である。基台６０はその側面から見たとき、着座性を良くするために、図１１Ｃに示すように片側が末広がり状を有した台形を成している。傾斜面部６８は、基台６０の長さ方向と直交する側に設けられ、基台６０に載置された綴じ部品４３の付いた用紙の裏面側を支持するようになされる。
【手続補正１３】
【補正対象書類名】明細書
【補正対象項目名】００６８
【補正方法】変更
【補正の内容】
【００６８】
この例で、リング背骨ホルダ６００には、更に基台６０の幅方向での部品振れ止め用に突起部６５が対で４箇所設けられる。突起部６５は、基台６０に載置された綴じ部品４３の背骨部４３ａの一部を挟んで支持するようになる。この例で突起部６５は、５番目と６番目の載置部６２の間、８番目と９番目の載置部６２の間、１６番目と１７番目の載置部６２の間及び、１９番目の載置部６２と２０番目の突出部６３の間に各々配設される。
【手続補正１４】
【補正対象書類名】明細書
【補正対象項目名】００７６
【補正方法】変更
【補正の内容】
【００７６】
まず、図１２に示すリング嵌合状態の冊子９０をリング背骨ホルダ６００にセットする。これは作業途中で冊子９０が動かないように固定するためである。例えば、右利き作業者の場合、図１２において、冊子９０が基台の左側に位置するように冊子９０をリング背骨ホルダ６００の傾斜面部６８上にセットする。この例では、当該傾斜面部６８上に冊子９０を載置させると共に、基台６０の長手方向に設けられた載置部６１に綴じ部品４３の背骨部４３ａを載置するようにセットする。載置部６１と直交する位置に設けられた載置部６２には、リング部４３ｂの立設ピッチｑに略等しい配置ピッチｐでリング部４３ｂが載置される。
【手続補正１５】
【補正対象書類名】明細書
【補正対象項目名】００７７
【補正方法】変更
【補正の内容】
【００７７】
上述の載置部６２の所々には、凸状の突出部６３が載置部６２の位置に代わって設けられている。この例では、載置部６２に代わって突出部６３が対で設けられているところが４箇所ある。この凸状の突出部６３は、載置部６２に載置されたリング部４３ｂの回動を止めるように機能する。更に、リング背骨ホルダ６００の一対の突起爪部６４は、基台６０に載置された綴じ部品４３の背骨部４３ａの一部を掴んで保持する。突起爪部６４は、載置部６１に載置された綴じ部品４３の背骨部４３ａの浮き上がり動作を止めるようになる。部品振れ止め用の１対の突起部６５は、基台６０に載置された綴じ部品４３の背骨部４３ａの一部を挟んで支持するので、載置部６１に載置された背骨部４３ａの幅方向の揺れ動作を止めるようになる。
【手続補正１６】
【補正対象書類名】明細書
【補正対象項目名】００８０
【補正方法】変更
【補正の内容】
【００８０】
このとき、環状のリング部４３ｂがリング処理工具１００の走行方向と同じ方向に倒れ込むようになるが、先端突起部１０の円錐形状による傾斜増分変化に伴って、そのリング部４３ｄの凸爪状の結合部４３ｇとリング部４３ｅの凹爪状の被結合部４３ｈとの嵌合力が限界に到達して分離し、その後、リング部４３ｂは弧状のリング部４３ｄ，４３ｅ自身の付勢力によって所定の開放姿勢を維持するようになる。
【手続補正１７】
【補正対象書類名】明細書
【補正対象項目名】００８１
【補正方法】変更
【補正の内容】
【００８１】
更に、リング処理工具１００を前進走行させてリング部４３ｂを中方向に拡げて開放するために、当該リング処理工具１００の押圧摺動操作を続ける。この例では、図１３に示すようにリング処理工具１００の円錐形状の先端突起部１０を背骨部４３ａに沿って前進走行させる。このとき、綴じ部品４３のリング部４３ｄの凸爪状の結合部４３ｇとリング部４３ｅの凹爪状の被結合部４３ｈとが徐々に分離するようになる。
【手続補正１８】
【補正対象書類名】明細書
【補正対象項目名】００８３
【補正方法】変更
【補正の内容】
【００８３】
続いて、リング処理工具１００を使用した再嵌合例について説明する。図１５〜図１８は、リング処理工具１００による綴じ部品４３の再嵌合例（その１〜４）を示す斜視図である。
【手続補正１９】
【補正対象書類名】明細書
【補正対象項目名】００９４
【補正方法】変更
【補正の内容】
【００９４】
【図１】本発明に係る実施形態としてのリング処理工具１００の構成例を示す斜視図である。
【図２】（Ａ）〜（Ｃ）は、綴じ部品４３の構成例を示す上面図、側面図及び断面図である。
【図３】（Ａ）〜（Ｃ）は、綴じ部品４３の嵌合例を示す図である。
【図４】リング処理工具１００の構成例（その１）を示す側面図である。
【図５】リング処理工具１００の構成例（その２）を示す背面図である。
【図６】リング処理工具１００の構成例（その３）を示す上面図である。
【図７】リング処理工具１００の構成例（その４）を示す底面図である。
【図８】リング背骨ホルダ５００の構成例（その１）を示す斜視図である。
【図９】（Ａ）〜（Ｃ）は、リング背骨ホルダ５００の構成例（その２）を示す上面図、そのＸ１−Ｘ１矢視断面図及びそのＹ１−Ｙ１矢視断面図である。
【図１０】リング背骨ホルダ６００の構成例（その１）を示す斜視図である。
【図１１】（Ａ）〜（Ｃ）は、リング背骨ホルダ６００の構成例（その２）を示す上面図、正面図及び側面図である。
【図１２】リング処理工具１００による綴じ部品４３の開放例（その１）を示す斜視図である。
【図１３】リング処理工具１００による綴じ部品４３の開放例（その２）を示す斜視図である。
【図１４】リング処理工具１００による綴じ部品４３の開放例（その３）を示す斜視図である。
【図１５】リング処理工具１００による綴じ部品４３の再嵌合例（その１）を示す背面図である。
【図１６】リング処理工具１００による綴じ部品４３の再嵌合例（その２）を示す背面図である。
【図１７】リング処理工具１００による綴じ部品４３の再嵌合例（その３）を示す背面図である。
【図１８】リング処理工具１００による綴じ部品４３の再嵌合例（その４）を示す背面図である。
【手続補正２０】
【補正対象書類名】図面
【補正対象項目名】図８
【補正方法】変更
【補正の内容】
【図８】
2009119633.tif 000001
【手続補正２１】
【補正対象書類名】図面
【補正対象項目名】図９
【補正方法】変更
【補正の内容】
【図９】
2009119633.tif 000002
【手続補正２２】
【補正対象書類名】図面
【補正対象項目名】図１０
【補正方法】変更
【補正の内容】
【図１０】
2009119633.tif 000003
【手続補正２３】
【補正対象書類名】図面
【補正対象項目名】図１１
【補正方法】変更
【補正の内容】
【図１１】
2009119633.tif 000004